【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
無線通信システムにおいて端末によって上りリンク送信電力を設定するための方法であって、前記方法は、
プライマリセルおよび少なくとも１つのセカンダリセルを含む複数のサービングセルを構成することと、
ＰＤＣＣＨ（ｐｈｙｓｉｃａｌ  ｄｏｗｎｌｉｎｋ  ｃｏｎｔｒｏｌ  ｃｈａｎｎｅｌ）オーダーを含むＰＤＣＣＨを、前記プライマリセルを通して基地局から受信することであって、ランダムアクセス手順が、前記ＰＤＣＣＨオーダーによってセカンダリセル上でトリガーされ、前記プライマリセルは、前記セカンダリセルとは異なる、ことと、
前記ＰＤＣＣＨオーダーに基づいて、前記少なくとも１つのセカンダリセルのうちのセカンダリセルを通してランダムアクセスプリアンブルを前記基地局に送信することと、
前記ランダムアクセスプリアンブルに応答して、前記基地局からランダムアクセス応答メッセージを受信することと、
複数のＴＡＧ（ｔｉｍｉｎｇ  ａｄｖａｎｃｅ  ｇｒｏｕｐ）が前記端末（ＵＥ）に対して構成されている場合、前記ランダムアクセス応答メッセージの受信に従って、前記セカンダリセルを通して送信されるべきＰＵＳＣＨ（ｐｈｙｓｉｃａｌ  ｕｐｌｉｎｋ  ｓｈａｒｅｄ  ｃｈａｎｎｅｌ）の送信電力を決定するために、因子値の蓄積をリセットすることと
を含む、方法。
【請求項２】
前記因子値は、送信電力制御命令（ＴＰＣ  ｃｏｍｍａｎｄ）の値に対応する、請求項１に記載の方法。
【請求項３】
前記ランダムアクセス応答メッセージは、送信電力制御命令（ＴＰＣ  ｃｏｍｍａｎｄ）を含み、
前記因子値がリセットされる場合、前記因子値の初期値は、前記ランダムアクセス応答メッセージに含まれるＴＰＣ  ｃｏｍｍａｎｄ値、および前記セカンダリセル上で少なくとも１回ランダムアクセスプリアンブルを送信することによる総電力ランプ−アップ（ｒａｍｐ−ｕｐ）値を用いて設定される、請求項１に記載の方法。
【請求項４】
前記ランダムアクセス応答メッセージが前記複数のサービングセルのうち前記セカンダリセル以外の所定のセル上で受信され、前記基地局によって前記ＰＵＳＣＨまたはＰＵＣＣＨ（ｐｈｙｓｉｃａｌ  ｕｐｌｉｎｋ  ｃｏｎｔｒｏｌ  ｃｈａｎｎｅｌ）に関するＵＥ特定のコンポーネント係数値がシグナリングされる場合、リセットされる態様で前記因子値は０に設定される、請求項１に記載の方法。
【請求項５】
前記リセットされた因子値を用いて、ＰＵＳＣＨ送信電力を決定することと、
前記決定されたＰＵＳＣＨ送信電力に基づいて、前記セカンダリセルを通して前記ＰＵＳＣＨを送信することと
をさらに含む、請求項１に記載の方法。
【請求項６】
前記構成された複数のサービングセルのうち前記セカンダリセル以外の残りのセルに対しては、前記因子値がリセットされない、請求項１に記載の方法。
【請求項７】
前記セカンダリセルは、第１のＴＡＧに属する、請求項１に記載の方法。
【請求項８】
前記セカンダリセル以外の残りのセルは、上りリンク同期が取れているセルに対応する、請求項７に記載の方法。
【請求項９】
前記プライマリセルは、第２のＴＡＧに属する、請求項７に記載の方法。
【請求項１０】
無線通信システムにおいて上りリンク送信電力を設定するための端末であって、前記端末は、
プライマリセルおよび少なくとも１つのセカンダリセルを含む複数のサービングセルを構成するように構成されたプロセッサと、
ＰＤＣＣＨ（ｐｈｙｓｉｃａｌ  ｄｏｗｎｌｉｎｋ  ｃｏｎｔｒｏｌ  ｃｈａｎｎｅｌ）オーダーを含むＰＤＣＣＨを、前記プライマリセルを通して基地局から受信するように構成された受信器であって、ランダムアクセス手順が、前記ＰＤＣＣＨオーダーによってセカンダリセル上でトリガーされ、前記プライマリセルは、前記セカンダリセルとは異なる、受信器と、
前記ＰＤＣＣＨオーダーに基づいて、前記少なくとも１つのセカンダリセルのうちのセカンダリセルを通してランダムアクセスプリアンブルを前記基地局に送信するように構成された送信器であって、
前記受信器は、前記ランダムアクセスプリアンブルに応答して、前記基地局からランダムアクセス応答メッセージを受信するようにさらに構成されている、送信器と、
プロセッサであって、
複数のＴＡＧ（ｔｉｍｉｎｇ  ａｄｖａｎｃｅ  ｇｒｏｕｐ）が前記端末（ＵＥ）に対して構成されている場合、前記ランダムアクセス応答メッセージの受信に従って、前記セカンダリセルを通して送信されるべきＰＵＳＣＨ（ｐｈｙｓｉｃａｌ  ｕｐｌｉｎｋ  ｓｈａｒｅｄ  ｃｈａｎｎｅｌ）の送信電力を決定するために、因子値の蓄積をリセットすること
を行うように構成されている、プロセッサと
を備える、端末。
【請求項１１】
前記因子値は、送信電力制御命令（ＴＰＣ  ｃｏｍｍａｎｄ）の値に対応する、請求項１０に記載の端末。
【請求項１２】
前記セカンダリセルは、第１のＴＡＧに属する、請求項１０に記載の端末。
【請求項１３】
前記セカンダリセル以外の残りのセルは、上りリンク同期が取れているセルに対応する、請求項１２に記載の端末。
【請求項１４】
前記プライマリセルは、第２のＴＡＧに属する、請求項１２に記載の端末。
【請求項１５】
前記プロセッサは、前記リセットされた因子値を用いて、ＰＵＳＣＨ送信電力を決定するようにさらに構成されており、
前記送信器は、前記決定されたＰＵＳＣＨ送信電力に基づいて、前記セカンダリセルを通して前記ＰＵＳＣＨを送信するようにさらに構成されている、請求項１０に記載の端末。
【手続補正２】
【補正対象書類名】明細書
【補正対象項目名】００１９
【補正方法】変更
【補正の内容】
【００１９】
上記の他の技術的課題を解決するための、無線通信システムにおいて上りリンク送信電力を設定する端末は、基地局から設定された複数のサービングセルに関する情報を受信するように構成された受信器と、前記設定された複数のサービングセルのうちセカンダリセル（Ｓｃｅｌｌ）で、ランダムアクセスプリアンブルを含むランダムアクセスメッセージを前記基地局に送信するように構成された送信器と、を備え、前記受信器は、前記ランダムアクセスメッセージに対する応答として前記基地局からランダムアクセス応答メッセージをさらに受信するように構成され、前記ランダムアクセス応答メッセージの受信に応じて、前記ランダムアクセスメッセージを送信した前記Ｓｃｅｌｌでの現在の上りリンク送信制御調整状態を表す蓄積モード（ａｃｃｕｍｕｌａｔｅｄ  ｍｏｄｅ）の因子値をリセットして設定するプロセッサをさらに備える。前記プロセッサは、前記設定された複数のサービングセルのうち前記Ｓｃｅｌｌ以外の残りセルに対しては前記因子値をリセットしないように構成されてもよい。前記Ｓｃｅｌｌは第１タイミングアドバンス（ＴＡ）グループに属し、前記残りセルは第２ＴＡグループに属する。前記残りセルは、上りリンク同期が取れているセルであってよい。前記第２ＴＡグループは、プライマリセル（Ｐｃｅｌｌ）を含んでいてもよい。
本明細書は、例えば、以下を提供する。
（項目１）
無線通信システムにおいて端末が上りリンク送信電力を設定する方法であって、
基地局から複数のサービングセルが設定され、
上記設定された複数のサービングセルのうちセカンダリセル（Ｓｃｅｌｌ）でランダムアクセスプリアンブルを含むランダムアクセスメッセージを上記基地局に送信し、
上記ランダムアクセスメッセージに対する応答として上記基地局からランダムアクセス応答メッセージを受信し、
上記ランダムアクセス応答メッセージの受信に応じて、上記ランダムアクセスメッセージを送信した上記Ｓｃｅｌｌでの現在の上りリンク送信制御調整状態を表す蓄積モード（ａｃｃｕｍｕｌａｔｅｄ  ｍｏｄｅ）の因子値をリセットして設定すること、
を含む、上りリンク送信電力設定方法。
（項目２）
上記因子値は、ＰＵＳＣＨ（Ｐｈｙｓｉｃａｌ  Ｕｐｌｉｎｋ  Ｓｈａｒｅｄ  ＣＨａｎｎｅｌ）又はＰＵＣＣＨ（Ｐｈｙｓｉｃａｌ  Ｕｐｌｉｎｋ  Ｃｏｎｔｒｏｌ  ＣＨａｎｎｅｌ）に対する値である、項目１に記載の上りリンク送信電力設定方法。
（項目３）
上記ランダムアクセス応答メッセージは送信電力制御命令（ＴＰＣ  ｃｏｍｍａｎｄ）値を含み、
上記因子値がリセットされる場合、上記因子値の初期値は、上記ランダムアクセス応答メッセージに含まれた上記ＴＰＣ  ｃｏｍｍａｎｄ値、及び上記Ｓｃｅｌｌで少なくとも１回ランダムアクセスプリアンブルを送信することによる総電力ランプ−アップ（ｒａｍｐ−ｕｐ）値を用いて設定される、項目２に記載の上りリンク送信電力設定方法。
（項目４）
上記ランダムアクセス応答メッセージが上記複数のサービングセルのうち上記Ｓｃｅｌｌ以外のいずれかの残りセルで受信され、上記基地局から上記ＰＵＳＣＨ又は上記ＰＵＣＣＨに関する端末−特定のコンポーネント係数値がシグナリングされる場合、上記因子値は０にリセットされて設定される、項目２に記載の上りリンク送信電力設定方法。
（項目５）
上記設定された因子値の初期値を用いて、上記ＰＵＳＣＨ又は上記ＰＵＣＣＨを送信するための上りリンク送信電力を決定し、
上記決定された上りリンク送信電力で上記ＰＵＳＣＨ又は上記ＰＵＣＣＨを送信すること、
をさらに含む、項目３に記載の上りリンク送信電力設定方法。
（項目６）
上記設定された複数のサービングセルのうち上記Ｓｃｅｌｌ以外の残りセルに対しては上記因子値をリセットしないことを特徴とする、項目１に記載の上りリンク送信電力設定方法。
（項目７）
上記Ｓｃｅｌｌは第１タイミングアドバンス（ＴＡ）グループに属し、上記残りセルは第２ＴＡグループに属する、項目６に記載の上りリンク送信電力設定方法。
（項目８）
上記残りセルは、上りリンク同期が取れているセルである、項目６に記載の上りリンク送信電力設定方法。
（項目９）
上記第２ＴＡグループは、プライマリセル（Ｐｃｅｌｌ）を含む、項目７に記載の上りリンク送信電力設定方法。
（項目１０）
無線通信システムにおいて上りリンク送信電力を設定する端末であって、
基地局から設定された複数のサービングセルに関する情報を受信するように構成された受信器と、
上記設定された複数のサービングセルのうちセカンダリセル（Ｓｃｅｌｌ）で、ランダムアクセスプリアンブルを含むランダムアクセスメッセージを上記基地局に送信するように構成された送信器と、
を備え、
上記受信器は、上記ランダムアクセスメッセージに対する応答として上記基地局からランダムアクセス応答メッセージをさらに受信するように構成され、
上記ランダムアクセス応答メッセージの受信に応じて、上記ランダムアクセスメッセージを送信した上記Ｓｃｅｌｌでの現在の上りリンク送信制御調整状態を表す蓄積モード（ａｃｃｕｍｕｌａｔｅｄ  ｍｏｄｅ）の因子値をリセットして設定するプロセッサをさらに備える、端末。
（項目１１）
上記プロセッサは、上記設定された複数のサービングセルのうち上記Ｓｃｅｌｌ以外の残りセルに対しては上記因子値をリセットしないように構成されたことを特徴とする、項目１０に記載の端末。
（項目１２）
上記Ｓｃｅｌｌは第１タイミングアドバンス（ＴＡ）グループに属し、上記残りセルは第２ＴＡグループに属する、項目１１に記載の端末。
（項目１３）
上記残りセルは、上りリンク同期が取れているセルである、項目１１に記載の端末。
（項目１４）
上記第２ＴＡグループは、プライマリセル（Ｐｃｅｌｌ）を含む、項目１２に記載の端末。